(57)【要約】【課題】コストを抑えて手軽に給気ダクトの清掃を行うことのできる空調装置を得ること。【解決手段】空調装置は、室内６０ａに連通される給気風路７１と、給気風路７１に対して室内６０ａに向けた第１の空気流を発生させる第１の送風機７３と、給気風路７１から分岐された分岐風路７２と、給気風路７１のうち分岐風路７２との分岐部分よりも室内６０ａ側となる給気側下流部７１ａと連通される風路を、給気風路７１のうちの給気側下流部７１ａよりも第１の空気流における上流側となる給気側上流部７１ｂまたは分岐風路７２に切り替える第１の切り替え部８１と、給気側下流部７１ａに対して室内６０ａから分岐風路７２に向けた第２の空気流を発生させる第２の送風機７４と、を備える。【選択図】図２
2017223374.tif 000002
【特許請求の範囲】
【請求項１】
室内に連通される給気風路と、
前記給気風路に対して前記室内に向けた第１の空気流を発生させる第１の送風機と、
前記給気風路から分岐された分岐風路と、
前記給気風路のうち前記分岐風路との分岐部分よりも前記室内側となる給気側下流部と連通される風路を、前記給気風路のうちの前記給気側下流部よりも前記第１の空気流における上流側となる給気側上流部または前記分岐風路に切り替える第１の切り替え部と、
前記給気側下流部に対して前記室内から前記分岐風路に向けた第２の空気流を発生させる第２の送風機と、を備える空調装置。
【請求項２】
前記第１の送風機は、前記給気側上流部に設けられる請求項１に記載の空調装置。
【請求項３】
前記第２の送風機は、前記分岐風路に設けられる請求項１または２に記載の空調装置。
【請求項４】
前記分岐風路内に挿入された挿入風路をさらに備え、
前記第２の送風機は、前記分岐風路の外側に設けられて前記挿入風路に接続され、
前記挿入風路からは、前記第２の送風機の運転時に、前記給気風路から離れる方向に向けて空気が吹き出される請求項１から３のいずれか１つに記載の空調装置。
【請求項５】
前記分岐風路に設けられた集塵部をさらに備える請求項１から４のいずれか１つに記載の空調装置。
【請求項６】
前記第１の送風機の運転時には、前記給気側上流部と前記給気側下流部とを連通させ、前記第２の送風機の運転時には、前記給気側下流部と前記連通風路とを連通させるように前記第１の切り替え部を制御する制御部をさらに備える請求項１から５のいずれか１つに記載の空調装置。
【請求項７】
前記第１の空気流における前記給気風路の上流側も前記室内に連通され、
前記給気風路を通過する空気を加熱または冷却する熱交換器をさらに備える請求項１から６のいずれか１つに記載の空調装置。
【請求項８】
前記第１の空気流における前記給気風路の上流側は室外に連通され、
前記室内および前記室外に連通される排気風路と、
前記排気風路に対して前記室外に向けた空気流を発生させる第３の送風機と、
前記給気風路を通過する空気と前記排気風路を通過する空気との間で熱交換させる熱交換素子と、をさらに備える請求項１から５のいずれか１つに記載の空調装置。
【請求項９】
前記給気風路を通過する空気を加熱または冷却する熱交換器をさらに備える請求項８に記載の空調装置。
【請求項１０】
前記分岐風路は、前記給気風路と前記排気風路とを連通させる風路であり、
前記排気風路のうち前記分岐風路との分岐部分よりも前記室外側となる排気側下流部と連通される風路を、前記排気風路のうちの前記排気側下流部よりも前記第２の空気流における上流側となる排気側上流部または前記分岐風路に切り替える第２の切り替え部をさらに備える請求項８または９に記載の空調装置。
【請求項１１】
前記第１の送風機および前記第３の送風機の運転時には、前記給気側上流部と前記給気側下流部とを連通させるとともに前記排気側上流部と前記排気側下流部とを連通させ、前記第２の送風機の動作時には、前記給気側下流部と前記分岐風路とを連通させるとともに前記排気側下流部と前記分岐風路とを連通させるように前記第１の切り替え部および前記第２の切り替え部を制御する制御部をさらに備える請求項８から１０のいずれか１つに記載の空調装置。
【請求項１２】
請求項１から１１のいずれか１つに記載の空調装置と、
前記給気風路から前記室内に向けて延びる給気ダクトと、
前記給気ダクトの前記室内側の末端に設けられる室内給気口と、を備える空調システム。
【請求項１３】
前記室内給気口に設けられて前記給気ダクトに接触するヒータをさらに備える請求項１２に記載の空調システム。
【請求項１４】
前記室内給気口に設けられたイオン発生器をさらに備える請求項１２に記載の空調システム。
【請求項１５】
前記室内給気口に設けられて、防カビ剤を噴霧する噴霧器をさらに備える請求項１２に記載の空調システム。
【発明の詳細な説明】
【技術分野】
【０００１】
本発明は、送風機で室内に空気を給気する空調装置および空調システムに関する。
【背景技術】
【０００２】
従来、特許文献１に開示されているように、送風機を用いて室内に空気を給気する空調装置が用いられている。このような空調装置では、空調装置と室内との間を結ぶ給気ダクトを介して室内に空気が供給される。
【先行技術文献】
【特許文献】
【０００３】
【特許文献１】特開平９−１１２９６３号公報
【発明の概要】
【発明が解決しようとする課題】
【０００４】
空調装置と室内との間を結ぶ給気ダクトの内壁面には、ダクト内を通過する空気に含まれる埃が付着する場合もあれば、カビが発生する場合もある。そのため、給気ダクトの内部を清掃したいとの要望がある。しかしながら、建物の壁の内部または天井裏に給気ダクトが配管されている場合には、清掃にかかる手間やコストが問題となる場合がある。また、給気ダクトの配管された場所および給気ダクトの長さによっては、給気ダクトの清掃を行うこと自体が困難である場合もある。
【０００５】
本発明は、上記に鑑みてなされたものであって、コストを抑えて手軽に給気ダクトの清掃を行うことのできる空調装置を得ることを目的とする。
【課題を解決するための手段】
【０００６】
上述した課題を解決し、目的を達成するために、本発明に係る空調装置は、室内に連通される給気風路と、給気風路に対して室内に向けた第１の空気流を発生させる第１の送風機と、給気風路から分岐された分岐風路と、給気風路のうち分岐風路との分岐部分よりも室内側となる給気側下流部と連通される風路を、給気風路のうちの給気側下流部よりも第１の空気流における上流側となる給気側上流部または分岐風路に切り替える第１の切り替え部と、給気側下流部に対して室内から分岐風路に向けた第２の空気流を発生させる第２の送風機と、を備える。
【発明の効果】
【０００７】
本発明に係る空調装置によれば、コストを抑えて手軽に給気ダクトの清掃を行うことができるという効果を奏する。
【図面の簡単な説明】
【０００８】
【図１】本発明の実施の形態１に係る空調システムの概略構成を示す図
【図２】実施の形態１に係る空調システムが備える清掃機構部の概略構成を示す図
【図３】実施の形態１に係る空調装置の概略構成を示す図であって、空調運転中の状態を示す図
【図４】実施の形態１に係る空調装置の概略構成を示す図であって、清掃運転中の状態を示す図
【図５】実施の形態１に係る空調装置の清掃運転時の動作手順の一例を示すフローチャート
【図６】実施の形態１に係る空調装置の清掃運転時の動作手順の他の例を示すフローチャート
【図７】実施の形態１に係る空調装置の清掃運転時の動作手順のさらに他の例を示すフローチャート
【図８】実施の形態１に係る空調装置の清掃運転時の動作手順のさらに他の例を示すフローチャート
【図９】実施の形態１に係る空調装置の変形例を示す図
【図１０】実施の形態１における清掃用送風機の他の設置例を示す図
【図１１】本発明の実施の形態２に係る空調装置の概略構成を示す図であって、空調運転中の状態を示す図
【図１２】本発明の実施の形態２に係る空調装置の概略構成を示す図であって、清掃運転中の状態を示す図
【発明を実施するための形態】
【０００９】
以下に、本発明の実施の形態に係る空調装置および空調システムを図面に基づいて詳細に説明する。なお、この実施の形態によりこの発明が限定されるものではない。
【００１０】
実施の形態１．
図１は、本発明の実施の形態１に係る空調システムの概略構成を示す図である。空調システム５０は、建物６０の内部に設けられた空調装置１と、室外に設けられた室外機２とを備える。また、空調システム５０は、空調装置１に接続されて室内６０ａに向けて延びる給気ダクト３１および還気ダクト３２と、空調装置１に接続されて室外に向けて延びる外気ダクト３３および排気ダクト３４とを備える。また、空調システム５０は、空調装置１と室外機２との間を接続する冷媒配管３５を備える。また、空調システム５０は、給気ダクト３１の室内６０ａ側の末端に設けられて空気を吹き出す室内給気口４１を備える。また、空調システム５０は、還気ダクト３２の室内６０ａ側の末端に設けられて空気を吸い込む室内吸込口４２を備える。
【００１１】
空調装置１は、室内に給気する空気を加熱または冷却する冷暖房装置としての機能と、室内の空気と室外の空気との間で熱交換させながら換気を行う熱交換換気装置としての機能を有する。空調装置１は、給気ダクト３１の内部の清掃を行う清掃機構部７０を備える。まず、清掃機構部７０の詳細な構成について説明する。
【００１２】
図２は、実施の形態１に係る空調システム５０が備える清掃機構部７０の概略構成を示す図である。清掃機構部７０は、室内６０ａに連通される給気風路７１と、給気風路７１から分岐された分岐風路７２とを備える。給気風路７１は、給気ダクト３１および外気ダクト３３と接続される。
【００１３】
給気風路７１には、第１の送風機である給気送風機７３が設けられている。給気送風機７３は、給気ダクト３１に向けた空気流、すなわち室内６０ａに向けた第１の空気流を発生させる。なお、図２において第１の空気流は矢印Ｘで示している。
【００１４】
給気風路７１のうち、分岐風路７２との分岐部分よりも室内６０ａ側となる部分を給気側下流部７１ａと称し、給気側下流部７１ａよりも第１の空気流における上流側となる部分を給気側上流部７１ｂと称す。給気送風機７３は、給気側上流部７１ｂに設けられている。
【００１５】
分岐風路７２には、第２の送風機である清掃用送風機７４が設けられている。清掃用送風機７４は、給気側下流部７１ａに対して室内６０ａから分岐風路７２に向けた第２の空気流を発生させる。なお、図２において第２の空気流は矢印Ｙで示している。給気ダクト３１では、給気送風機７３の運転時と清掃用送風機７４の運転時とで空気の流れが逆方向となる。
【００１６】
給気風路７１と分岐風路７２との分岐部分には、第１の切り替え部８１が設けられている。第１の切り替え部８１は、図２に示すように分岐風路７２および給気側上流部７１ｂのいずれか一方を塞ぐことで、給気側下流部７１ａと連通される風路を、給気側上流部７１ｂと分岐風路７２とに切り替える。
【００１７】
分岐風路７２には、集塵部７５が設けられている。集塵部７５は、分岐風路７２を通過する空気に含まれる異物を捕集する。異物を捕集して汚れた集塵部７５は、洗浄または交換される。集塵部７５を設けることで、清掃用送風機７４の運転時に分岐風路７２から排出される空気の清浄化を図ることができる。
【００１８】
次に、清掃機構部７０が組み込まれた空調装置１の詳細な構成について説明する。図３は、実施の形態１に係る空調装置１の概略構成を示す図であって、空調運転中の状態を示す図である。清掃機構部７０が組み込まれた空調装置１では、給気風路７１を通過する空気を加熱または冷却する熱交換器７６が、給気側上流部７１ｂに設けられている。熱交換器７６は、冷媒配管３５を介して室外機２と接続されている。
【００１９】
空調装置１は、給気ダクト３１が接続される給気接続口１１と、還気ダクト３２が接続される還気接続口１２と、外気ダクト３３が接続される外気接続口１３と、排気ダクト３４が接続される排気接続口１４とが形成された筐体３を備える。筐体３の内部に、室内６０ａに空気を供給するための給気風路７１および室内の空気を外部に排気するための排気風路７７が形成されている。
【００２０】
給気風路７１は、外気接続口１３と給気接続口１１とを連通させる風路であり、排気風路７７は、還気接続口１２と排気接続口１４とを連通させる風路となっている。排気風路７７には、第３の送風機である排気送風機７８が設けられている。排気送風機７８は、排気接続口１４に向けた空気流、すなわち室外に向けた空気流を排気風路７７内に発生させる。
【００２１】
筐体３の内部には、給気風路７１を通過する空気と排気風路７７を通過する空気との間で熱交換させる熱交換素子７９が設けられている。
【００２２】
筐体３の内部には、給気風路７１と排気風路７７とを連通させる循環風路８０が設けられている。排気風路７７における循環風路８０との分岐部分は、排気送風機７８よりも室外側となっている。給気風路７１における循環風路８０との分岐部分は、給気送風機７３よりも室外側となっている。
【００２３】
空調装置１では、分岐風路７２が排気風路７７に接続されている。排気風路７７と分岐風路７２の分岐部分は、熱交換素子７９よりも室外側となっている。排気風路７７のうち、排気風路７７と分岐風路７２の分岐部分よりも室外側を排気側下流部７７ａと称し、排気側下流部７７ａよりも室内側を排気側上流部７７ｂと称す。排気送風機７８は、排気側上流部７７ｂに設けられる。
【００２４】
排気風路７７と分岐風路７２の分岐部分には、第２の切り替え部８２が設けられている。第２の切り替え部８２は、分岐風路７２および排気側上流部７７ｂのいずれか一方を塞ぐことで、排気側下流部７７ａと連通される風路を、排気側上流部７７ｂと分岐風路７２とに切り替える。
【００２５】
空調装置１は、各送風機７３，７４，７８および各切り替え部８１，８２の動作を制御する制御部４を備える。制御部４は、給気送風機７３および排気送風機７８を運転させる場合には、清掃用送風機７４を停止させるとともに、第１の切り替え部８１と第２の切り替え部８２とに分岐風路７２を塞がせる。この運転状態を空調運転と称す。
【００２６】
空調運転では、排気送風機７８の運転によって、室内吸込口４２、還気ダクト３２、排気風路７７、排気ダクト３４を介して室内の空気が室外に排気される。また、給気送風機７３の運転によって、外気ダクト３３、給気風路７１、給気ダクト３１、室内給気口４１を介して室外の空気が室内６０ａに給気される。また、排気風路７７を通過する空気の一部は、循環風路８０を介して給気風路７１に流入し、室内６０ａに戻される。循環風路８０を介して給気風路７１に流入した空気と、給気風路７１を通過する外気は、熱交換器７６によって加熱または冷却されてから室内６０ａに給気される。空調運転では、熱交換器７６を用いた冷暖房と、熱交換素子７９を用いた熱交換換気が行われる。
【００２７】
空調装置１では、空調運転とは別に、清掃運転と称す運転状態が実行可能とされる。図４は、実施の形態１に係る空調装置１の概略構成を示す図であって、清掃運転中の状態を示す図である。制御部４は、清掃用送風機７４を運転させ、給気送風機７３および排気送風機７８を停止させ、第１の切り替え部８１に給気側上流部７１ｂを塞がせ、第２の切り替え部８２に排気側上流部７７ｂを塞がせることで、空調装置１を図４に示す清掃運転状態とする。
【００２８】
清掃運転では、清掃用送風機７４によって、室内給気口４１、給気ダクト３１、給気側下流部７１ａ、分岐風路７２、排気側下流部７７ａ、排気ダクト３４を介して室内６０ａの空気が室外に排気される。清掃運転では、給気ダクト３１に対して空調運転時とは逆方向の空気流を発生させることができる。したがって、清掃運転時に給気ダクト３１に発生する空気流によって、給気ダクト３１の内壁面に付着した埃を室外に排出させて、給気ダクト３１の清掃を行うことができる。この清掃方法によれば、給気ダクト３１内への清掃器具の挿入および給気ダクト３１への接触を行わずに給気ダクト３１を清掃することができる。そのため、壁内または天井内に設けられた給気ダクト３１であってもコストを抑えて手軽に清掃を行うことが可能となる。
【００２９】
また、給気送風機７３は、給気側上流部７１ｂに設けられているため、清掃運転時に給気ダクト３１から流れてくる空気流には接触しない。そのため、清掃運転時に給気ダクト３１から流れてくる空気流に含まれる埃によって、給気送風機７３が汚染されることを防ぐことができる。同様に、給気側上流部７１ｂに設けられている熱交換器７６の汚染も防ぐことができる。
【００３０】
また、排気送風機７８は、排気側上流部７７ｂに設けられているため、清掃運転時に給気ダクト３１から流れてくる空気流には接触しない。そのため、清掃運転時に給気ダクト３１から流れてくる空気流に含まれる埃によって、排気送風機７８が汚染されることを防ぐことができる。
【００３１】
空調運転時に給気ダクト３１の内壁面に付着した埃を効率的に排出するために、清掃用送風機７４の風量を給気送風機７３の風量よりも大きくして、清掃運転時には空調運転時よりも大きな風量で給気ダクト３１に空気を通過させることが好ましい。ただし、空調運転時と空気の流れが逆向きになることで舞い上がる埃もあるため、必ずしも清掃用送風機７４の風量を給気送風機７３の風量よりも大きくする必要はない。
【００３２】
また、清掃運転時に排出される埃を集塵部７５によって回収することができるが、本実施の形態１では分岐風路７２が排気側下流部７７ａに接続されているので、集塵部７５を設けない場合であっても、埃を室外に排出することができる。そのため、図３，４に示す構成では、集塵部７５を省略しても構わない。
【００３３】
なお、図１に示すように、空調システム５０は、清掃運転時の清掃効率の向上を図るために、室内給気口４１部分に清掃促進部４３を備える。ここで、給気ダクト３１に接触させたヒータを清掃促進部４３としてもよい。清掃運転時にヒータを加熱させることで、室内吸込口４２を通して給気ダクト３１内に吸い込まれる空気を加熱することができる。加熱された空気によって給気ダクト３１の温度を上昇させることで、殺菌効果を得ることができる。また、ヒータが給気ダクト３１に接触しているので、ヒータの熱を給気ダクト３１に直接伝えて給気ダクト３１の温度を上昇させることができる。これにより、殺菌効果の向上を図ることができる。
【００３４】
清掃促進部４３に用いられるヒータは、ニクロム線を網目状にしたものを用いれば、空気との接触面積の増加を図ることができる。これにより、より効率的に空気および給気ダクト３１の温度を上昇させることができる。
【００３５】
また、イオン発生器を清掃促進部４３としてもよい。イオン発生器は、放電現象によりイオンを発生する手段である。イオン発生器は、正イオンと負イオンの両方、またはいずれか一方を発生させる。清掃運転時にイオン発生器を運転させることで、給気ダクト３１内に吸い込まれる空気に含ませて、給気ダクト３１内にイオンを送り込むことができる。給気ダクト３１内に送り込まれたイオンによって、給気ダクト３１の内壁面に付着した埃を浮き上がらせることができる。これにより、清掃運転中に給気ダクト３１内に発生する空気流によって埃が剥がれやすくなり、清掃効率の向上を図ることができる。
【００３６】
また、防カビ剤を噴霧する噴霧器を清掃促進部４３としてもよい。防カビ剤は、塩素系またはアルコール系の防カビ剤である。清掃運転時に防カビ剤を噴霧することで、給気ダクト３１内に吸い込まれる空気に含ませて、給気ダクト３１内に防カビ剤を送り込むことができる。給気ダクト３１内に送り込まれた防カビ剤によって、清掃運転終了後の給気ダクト３１内でのカビの発生を抑えることができる。これにより、空調運転中に、より清潔な空気を室内６０ａに供給することが可能となる。また、カビの発生を抑えることで、清掃運転を行う頻度を抑えることができる。なお、ヒータ、イオン発生器および噴霧器を組み合わせて清掃促進部４３としてもよい。また、上述した制御部４は、清掃促進部４３の動作の制御も行う。
【００３７】
次に、空調システム５０における清掃運転時の具体的な動作手順について説明する。図５は、実施の形態１に係る空調装置１の清掃運転時の動作手順の一例を示すフローチャートである。まず、制御部４は、ステップＳ１において、清掃運転を行う時期になったか否かを判定する。清掃運転を行う時期になっている場合には、ステップＳ２において清掃運転を行う時期になったことを報知する。報知の方法は、ユーザが操作する操作部に表示することが一例に挙げられる。清掃運転を行う時期になったかの判定は、空調運転の累計時間または給気ダクト３１内の風量に基づいて行われる。なお、清掃運転を行う時期になったかの判定基準は、これに限られない。清掃運転を行う時期がユーザによって設定されても構わない。
【００３８】
ステップＳ３において、報知によって清掃運転を行う時期になったことを認識したユーザによって、実際に清掃運転を行う時間が設定される。清掃運転中は、空調運転が行われないため、ユーザは自身が室内６０ａにいない時間に清掃運転が行われるように開始時間と終了時間を設定することができる。
【００３９】
ステップＳ４において、開始時間になったと制御部４が判定した場合には、ステップＳ５において、空調装置１による清掃運転が開始される。その後、ステップＳ６において、終了時間になったと制御部４が判定した場合には、ステップＳ７において清掃運転が終了される。
【００４０】
図６は、実施の形態１に係る空調装置１の清掃運転時の動作手順の他の例を示すフローチャートである。まず、制御部４は、ステップＳ１１において、清掃運転を行う時期になったか否かを判定する。清掃運転を行う時期になっている場合に制御部４は、ステップＳ１２において、室内６０ａに人がいるか否か判定する。室内６０ａに人がいるか否かの判定は、図示しない人感センサを用いて行われる。人感センサには、サーモセンサおよび光学カメラが挙げられる。
【００４１】
室内６０ａに人がいないと判定された場合には、ステップＳ１３において、空調装置１による清掃運転が開始される。制御部４は、ステップＳ１４において、室内６０ａに人が戻ってきたか判定する。室内６０ａに人が戻ってきたと判定された場合には、ステップＳ１７において、清掃運転を停止して、ステップＳ１２に戻る。室内６０ａに人が戻ってこないまま、ステップＳ１５において清掃運転の開始から予め定めた時間が経過したと判定された場合には、ステップＳ１６において清掃運転が終了される。清掃運転を継続させる予め定められた時間は、給気ダクト３１の長さおよび太さに応じて設定される時間であり、給気ダクト３１内の埃が十分に排出されたと考えられる時間である。
【００４２】
図７は、実施の形態１に係る空調装置１の清掃運転時の動作手順のさらに他の例を示すフローチャートである。図７では、防カビ剤の噴霧が清掃促進部４３によって行われず、ユーザの手動によって行われる場合を例に挙げている。
【００４３】
まず、ステップＳ２１において、ユーザの操作によって清掃運転モードに設定されると、ステップＳ２２において、制御部４は空調装置１による清掃運転を開始させる。ユーザは、清掃運転が行われている間に、室内給気口４１から給気ダクト３１内に防カビ剤を噴霧し、噴霧が完了したことを空調装置１に通知する。噴霧が完了したことの通知は、ユーザが操作する操作部を通じて行われる。
【００４４】
制御部４は、ステップＳ２３において、防カビ剤の噴霧が完了したことを認識し、ステップＳ２４において、防カビ剤の噴霧が完了したことを認識してから予め定められた時間が経過したと判定した場合に、ステップＳ２５において、清掃運転を終了させる。防カビ剤の噴霧完了の認識後に清掃運転を継続させる予め定められた時間は、給気ダクト３１の長さや太さに応じて設定される時間であり、給気ダクト３１内の埃が十分に排出されたと考えられる時間または、防カビ剤が給気ダクト３１内に行き渡ったと考えられる時間である。
【００４５】
図８は、実施の形態１に係る空調装置１の清掃運転時の動作手順のさらに他の例を示すフローチャートである。ステップＳ３１において、ユーザの操作によって清掃運転モードに設定されると、ステップＳ３２において、制御部４は空調装置１による清掃運転を開始させる。制御部４は、ステップＳ３３において、清掃運転の開始から予め定められた時間が経過したと判定した場合に、ステップＳ３４において、清掃運転を終了させる。清掃運転を継続させる予め定められた時間は、給気ダクト３１の長さおよび太さに応じて設定される時間であり、給気ダクト３１内の埃が十分に排出されたと考えられる時間である。
【００４６】
なお、制御部４は、清掃運転中および清掃運転の終了後に、集塵部７５の交換または清掃が必要か否か判定してもよい。集塵部７５の交換または清掃が必要と判定された場合に制御部４は、集塵部７５の交換または清掃が必要であることを報知する。報知の方法は、ユーザが操作する操作部に表示することが一例に挙げられる。ユーザは、この報知を認識することで、適切な時期に集塵部７５の交換または清掃を行うことができ、集塵部７５の目詰まりによる給気ダクト３１の清掃性能の低下を抑えることができる。集塵部７５の交換または清掃が必要かの判定は、清掃運転の回数、累計時間または清掃運転時の風量によって判定することができる。なお、集塵部７５の交換または清掃が必要かの判定の基準は、これらに限られない。
【００４７】
なお、図３，４に示した空調装置１の構成から、熱交換器７６と循環風路８０を省略すれば、空調装置１を、清掃機構部７０を備えた熱交換換気装置とすることができる。また、第１の切り替え部８１は、１つの切り替え装置として構成されていなくてもよく、給気風路７１を開閉する切り替え装置と、分岐風路７２を開閉する切り替え装置とを組み合わせて構成してもよい。また、第２の切り替え部８２は、１つの切り替え装置として構成されていなくてもよく、排気風路７７を開閉する切り替え装置と、分岐風路７２を開閉する切り替え装置とを組み合わせて構成してもよい。
【００４８】
次に、空調装置１の変形例について説明する。図９は、実施の形態１に係る空調装置１の変形例を示す図である。図９に示す変形例では、給気接続口１１、還気接続口１２、外気接続口１３および排気接続口１４とは別に、ダクトを接続可能な清掃気流排出口１５が筐体３に形成されている。また、清掃機構部７０の分岐風路７２は、排気風路７７ではなく清掃気流排出口１５に接続されている。清掃運転時に分岐風路７２を通過する空気に含まれる埃は、集塵部７５に回収されるため、筐体３の外部で清掃気流排出口１５に接続されるダクトを室内６０ａに連通させてもよい。また、清掃気流排出口１５に接続されるダクトを室外に連通させた場合には、集塵部７５を省略してもよい。
【００４９】
変形例に係る空調装置１では、図３，４に示す空調装置１に比べて、分岐風路７２の短縮化、および第２の切り替え部８２の省略を図ることができる。そのため、変形例に係る空調装置１では、構造および制御の簡素化ならびに製造コストの抑制を図ることができる。
【００５０】
次に、清掃用送風機７４の他の設置例について説明する。図１０は、実施の形態１における清掃用送風機７４の他の設置例を示す図である。図１０に示す清掃用送風機７４の設置例では、分岐風路７２内に挿入風路８３が挿入されている。清掃用送風機７４は、分岐風路７２の外側に配置されて、挿入風路８３に接続されている。清掃用送風機７４は、挿入風路８３から分岐風路７２内に空気を吹き出させる。
【００５１】
挿入風路８３は、給気風路７１から離れる方向に空気が吹き出されるように、分岐風路７２内に挿入されている。挿入風路８３から空気が吹き出されると、領域Ａ部分が負圧となり、給気風路７１側の空気を引き込んで、分岐風路７２内に給気風路７１から離れる方向に向かう空気流を発生させることができる。これにより、清掃運転時に給気ダクト３１に空調運転時とは逆方向の空気流を発生させることができる。この配置例では、給気ダクト３１から空気が流れてくる分岐風路７２の外側に清掃用送風機７４が配置されているので、空気に含まれる埃によって清掃用送風機７４が汚染されることを防ぐことができる。
【００５２】
実施の形態２．
図１１は、本発明の実施の形態２に係る空調装置の概略構成を示す図であって、空調運転中の状態を示す図である。図１２は、本発明の実施の形態２に係る空調装置の概略構成を示す図であって、清掃運転中の状態を示す図である。上記実施の形態１と同様の構成については、同様の符号を付して詳細な説明を省略する。
【００５３】
本実施の形態２に係る空調装置１００は、清掃機構部７０を備える冷暖房装置である。空調装置１００は、実施の形態１と異なり熱交換素子を有していない。筐体１０３には、給気ダクト３１が接続される給気接続口１１１、還気ダクト３２が接続される還気接続口１１２、および筐体１０３の内部から分岐風路７２が接続される清掃気流排出口１１５が形成されているが、室外と連通される外気接続口と排気接続口は形成されていない。
【００５４】
筐体１０３の内部において、清掃機構部７０が備える給気風路７１は、給気接続口１１１に給気側下流部７１ａが接続され、還気接続口１１２から延びる還気風路１８０に空気側上流部７１ｂが接続されている。
【００５５】
以上説明した空調装置１００によれば、図１１に示す空調運転時には、還気ダクト３２から吸い込んだ室内の空気を、熱交換器７６で加熱または冷却して、給気ダクト３１を介して室内に給気することができる。
【００５６】
また、図１２に示す清掃運転時には、給気ダクト３１に対して空調運転時とは逆方向となる空気流を発生させて、給気ダクト３１内の清掃を行うことができる。この清掃方法によれば、給気ダクト３１内への清掃器具の挿入および給気ダクト３１への接触を行わずに給気ダクト３１を清掃することができる。そのため、壁内や天井内に設けられた給気ダクト３１であってもコストを抑えて手軽に清掃を行うことが可能となる。
【００５７】
なお、実施の形態１では、冷暖房装置と熱交換換気装置を組み合わせた空調装置１を用いて空調システム５０を構成したが、空調装置１から循環風路８０および熱交換器７６を省略した熱交換換気装置と、本実施の形態２で説明した冷暖房装置である空調装置１００とを組み合わせて空調システムを構成してもよい。この場合、冷暖房装置および熱交換換気装置のいずれか一方が清掃機構部７０を備えていれば、手軽かつコストを抑えた給気ダクト３１の清掃を行うことが可能となる。
【００５８】
また、清掃機構部７０の一部または全部が、筐体３，１０３の外側に配置されていてもよい。
【００５９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６０】
１  空調装置、４  制御部、１１  給気接続口、１２  還気接続口、１３  外気接続口、１４  排気接続口、１５  清掃気流排出口、３１  給気ダクト、３２  還気ダクト、４１  室内給気口、４３  清掃促進部、５０  空調システム、６０  建物、６０ａ  室内、７０  清掃機構部、７１  給気風路、７１ａ  給気側下流部、７１ｂ  給気側上流部、７２  分岐風路、７３  給気送風機（第１の送風機）、７４  清掃用送風機（第２の送風機）、７５  集塵部、７６  熱交換器、７７  排気風路、７８  排気送風機（第３の送風機）、７９  熱交換素子、８０  循環風路、８１  第１の切り替え部、８２  第２の切り替え部、８３  挿入風路、１００  空調装置、１０３  筐体、１１１  給気接続口、１１２  還気接続口、１１５  清掃気流排出口。
【図１】
2017223374.tif 000003
【図２】
2017223374.tif 000004
【図３】
2017223374.tif 000005
【図４】
2017223374.tif 000006
【図５】
2017223374.tif 000007
【図６】
2017223374.tif 000008
【図７】
2017223374.tif 000009
【図８】
2017223374.tif 000010
【図９】
2017223374.tif 000011
【図１０】
2017223374.tif 000012
【図１１】
2017223374.tif 000013
【図１２】
2017223374.tif 000014